(57)【要約】      （修正有）【課題】カートン本体に蓋体を被せる形状でカートン本体と蓋体とが連結された蓋付きカートンにおいて、開封が容易で、かつ再封時に蓋体がカートン本体にきちんとロックすることができ、偏平状のカートンにも適用できる蓋付きカートンを提供する。【解決手段】蓋体２がカートン本体１の外側へ嵌合させることができるように後板１３と天板２０を連設した蓋付きカートンＡにおいて、側板１１に折れ線を介して遊離係合片１６を連設し、折れ線の一部から側板側に切り込みを入れて、折れ線を折り曲げてカートンを組み立てた時に突出する形状の係合部を設け、該係合部に対応する蓋側板に接着された係止接着片２３の上部に係止間隙２４を設け、蓋体をカートン本体に嵌合した時、係合部と係止接着片とを係合可能とした。【選択図】図１
2005263298.tif 000002
【特許請求の範囲】
【請求項１】
底板の左右側部に側板を、前部に前板を、後部に後板を設けた有底角筒状のカートン本体と、天板の左右側部に蓋側板を、前部に蓋前板を設け、前記蓋前板の両端に係止接着片を連設し、該係止接着片をそれぞれ前記左右側部の蓋側板の内側に接着することにより形成された蓋体とからなり、前記蓋体が前記カートン本体の外側へ嵌合させることができるように前記後板の上辺に前記天板を連設した蓋付きカートンにおいて、
前記側板に折れ線を介して遊離係合片を連設し、前記折れ線の一部から前記側板側に切り込みを入れて、前記折れ線を折り曲げてカートンを組み立てた時に突出する形状の係合部を設け、該係合部に対応する前記蓋側板に接着された前記係止接着片の上部に係止間隙を設け、前記蓋体を前記カートン本体に嵌合した時、前記係合部と前記係止接着片とを係合可能としたことを特徴とする蓋付きカートン。
【発明の詳細な説明】
【技術分野】
【０００１】
本発明は、菓子等を収納するのに用いられる蓋付きカートンに関するものであり、詳しくは、係合機構を有する蓋付きカートンに関するものである。
【背景技術】
【０００２】
従来より、蓋付きカートンで再封機能を有するカートンは、種々の形態のものがある。例えば、代表的な形態として、図７に示すように、遊離係合片（係合舌片）３０がカートン本体１の前板１２に連設され、その遊離係合片が前板１２の外面側に折り曲げられ、蓋体２を被せた時に、蓋体２の蓋前板２２が遊離係合片でロックされる形態の蓋付きカートンＢがある（例えば、特許文献１参照。）。
【特許文献１】特開平１１−１２４１３２号公報
【発明の開示】
【発明が解決しようとする課題】
【０００３】
しかしながら、上記の従来の再封機能の有するカートンでは、前板の外側に遊離係合片が折り曲げられる形状であり、開封時にカートン本体と蓋体との間に間隙ができ、また、きちんと再封しないという問題がある。さらに、高さの低い偏平状のカートンに対しては適用することが難しかった。
【０００４】
本発明は、カートン本体に蓋体を被せる形状でカートン本体と蓋体とが連結された蓋付きカートンにおいて、開封が容易で、かつ再封時に蓋体がカートン本体にきちんとロックすることができ、偏平状のカートンにも適用できる蓋付きカートンを提供することを目的とするものである。
【課題を解決するための手段】
【０００５】
上記の問題点を解決するため、本発明は、底板の左右側部に側板を、前部に前板を、後部に後板を設けた有底角筒状のカートン本体と、天板の左右側部に蓋側板を、前部に蓋前板を設け、前記蓋前板の両端に係止接着片を連設し、該係止接着片をそれぞれ前記左右側部の蓋側板の内側に接着することにより形成された蓋体とからなり、前記蓋体が前記カートン本体の外側へ嵌合させることができるように前記後板の上辺に前記天板を連設した蓋付きカートンにおいて、前記側板に折れ線を介して遊離係合片を連設し、前記折れ線の一部から前記側板側に切り込みを入れて、前記折れ線を折り曲げてカートンを組み立てた時に突出する形状の係合部を設け、該係合部に対応する前記蓋側板に接着された前記係止接着片の上部に係止間隙を設け、前記蓋体を前記カートン本体に嵌合した時、前記係合部と前記係止接着片とを係合可能としたことを特徴とする蓋付きカートンである。
【発明の効果】
【０００６】
本発明によれば、カートン本体に蓋体を被せる形状でカートン本体と蓋体とが連結された蓋付きカートンにおいて、カートン本体の側板の上辺に遊離係合片を設け、その遊離係合片を内側へ折り曲げることにより、係合部が形成され、また、蓋側板の内側に貼り合わされた係止接着片の上部に係止間隙を設けたことにより、遊離係合片の係部は、係止接着片の上縁に係合させてカートン本体と蓋体とをロックすることができ、従って、開封が容易で、かつ、再封時に蓋体がカートン本体にきちんとロックすることができ、偏平状のカートンにも適用できる蓋付きカートンを得ることができる。また、内容物取り出し時において、蓋体を開けた状態において、遊離係合片で内容物を保持するという効果を持たせることもできる。
【発明を実施するための最良の形態】
【０００７】
本発明の蓋付きカートンの実施の形態について、図面に基ずいて以下に詳細に説明する。なお、異なる図の同一部位には同一の符号を付与している。図１は本発明の蓋付きカートンの一実施形態を示す斜視図であり、図２は本発明の蓋付きカートンの一実施形態のブランクを示す展開図であり、図３は本発明の蓋付きカートンの蓋前板の形状の異なる例を示す斜視図であり、図４は本発明の蓋付きカートンを折り畳まれた状態に組み立てる工程を示す図であり、図５は本発明の蓋付きカートンを組み立てて内容物を充填包装する工程を示す図であり、図６は本発明の蓋付きカートンを組み立てて内容物を充填包装する別の工程を示す図であり、そして、図７は従来の蓋付きカートンの斜視図である。
【０００８】
図１は、本発明の蓋付きカートンの第一の実施の形態の一実施例を示す斜視図である。蓋付きカートンＡは、カートン本体１と蓋体２とから構成されている。カートン本体１は、底板１０、両側板１１、１１、前板１２、後板１３からなり、蓋体２は、天板２０、両蓋側板２１、２１、蓋前板２２からなり、そして、カートン本体１と蓋体２とが、後板１３と天板２０との折れ線ｊで連結され、その折れ線ｊをヒンジとして蓋体２がカートン本体１の上部外側へ嵌合させることができる形態となっている。また、カートン本体１において、側板１１、１１には、遊離係合片１６が連設され、この遊離係合片１６、１６を折り曲げてカートンを組み立てた時に係合部１６ａ、１６ａが形成される形状としている。一方、蓋体２においては、蓋側板２１、２１の裏面に係止接着片２３、２３が接着され、その係止接着片２３、２３と天板２０との間に係止間隙２４が設けられた形状としている。すなわち、カーートン本体１の前板１２に連設した遊離係合片１６の係合部１６ａ、１６ａが蓋体２の蓋側板２１、２１の内面の係止接着片２３，２３と係合する係合機構を有している。
【０００９】
図２は、本発明の蓋付きカートンＡのブランクを示す展開図であり、ブランク３は、カートン本体１の部分と蓋体２の部分とが折れ線ｊ（ヒンジ）で連結されている。
【００１０】
カートン本体１の部分は、図２に示すように、底板１０を中心として、左右側辺に折り線ａ、ａを介して側板１１、１１を連設し、下辺に折り線ｂを介して前板１２を連設し、上辺に折り線ｃを介して後板１３を連設している。そして、前板１２の左右側辺にそれぞれ折り線ｄ、ｄを介して接着片１４、１４を連設し、後板１３の左右側辺にそれぞれ折り線ｅ、ｅを介して接着片１５、１５を連設している。さらに、両側板１１、１１には、折れ線ｆ、ｆを介して遊離係合片１６、１６を連設している。この遊離係合片１６は、側板１１に折り曲げ自由に連設され、係合部１６ａを有しており、形状は、四辺形、角丸四辺形等とすることができる。この係合部１６ａは、折れ線ｆの一部において、側板１１側に凸状に切り込みｋを入れたものであり、折れ線ｆで側板１１と遊離係合片１６を折り曲げてカートンを組み立てた時に、側板１１から係合部１６ａが突出した形状となる。突出する係合部１６ａの高さは、０．５〜３．０ｍｍの範囲とすることが好ましい。
【００１１】
また、蓋体２の部分は、図２に示すように、天板２０の左右側辺に折り線ｇ、ｇを介して蓋側板２１、２１を連設し、上辺に折れ線ｈを介して蓋前板２２を連設している。そして、蓋前板２２の左右側辺にそれぞれ折り線ｉ、ｉを介して係止接着片２３、２３を連設している。この係止接着片２３、２３の下辺は、天板２０と蓋前板２２の折れ線ｈの延長線より内側に位置するようにする。すなわち、この係止接着片２３、２３を蓋側板２１、２１に接着してカートンを組み立てた時に、係止接着片２３と天板２０との間にカートン本体１の遊離係合片１６の係合部１６ａを係止するための係止間隙２４を有する形状とする。
【００１２】
そして、蓋体２がカートン本体１の外側へ嵌合させることができるように、後板１３の上辺に天板２０を折れ線ｊ（ヒンジ）を介して連設し、カートン本体１の部分と蓋体２の部分を連結している。
【００１３】
さらに、内容物４を収納した後には、内容物４の保護およびバージン性の付与のために、カートン本体１に蓋体２を嵌合し、カートン本体１の前板１２に蓋体２の蓋前板２２を接着する。本実施例では、この接着は、蓋体２をカートン本体１から開封しやすいように、蓋体２の蓋前板２２の部分接着部２２ａとカートン本体１の前板１２とで接着し、開封時に部分接着部２２ａを前板１２に切り残すことができる形状としている。
【００１４】
また、蓋前板２２をカートン本体１に接着する形態は、特に限定されるものではなく、本実施例の形状以外に、図３−ａに示すように、横中央部にジッパー５を設け、このジッパー５の外側部２２ｂでカートン本体１の前板１２と接着する形状、あるいは、図３−ｂに示すように、蓋前板２２にさらに接着片２２ｃを切り取り可能に設けて、カートン本体１の底板１０と接着する形状等とすることができる。
【００１５】
さらに、本発明の蓋付きカートンにおいては、蓋体２を嵌合した後に、内容物の保護およびバージン性の付与のために、全体をフィルム等で包装するか、あるいは、カートン本体１の前板１１に蓋体２の蓋前板２２をシールで封止する等の方法を用いることができる。
【００１６】
つぎに、図２に示したブランク３からの本実施の形態の蓋付きカートンＡを組立てる工程について図を用いて説明する。
【００１７】
まず、ブランク３から折り畳まれた状態の蓋付きカートンＡに組み立てるが、図４−ａに示すように、前板１２を折れ線ｂで底板１０側に折り曲げ、つぎに、図４−ｂに示すように、天板２０を折れ線ｊで後板１３側に折り曲げて、蓋前板２２の部分接着部２２ａと前板１２とを貼り合せる。このようにして、図４−ｃに示すように、折り畳まれた状態の蓋付きカートンＡを組み立てる。
【００１８】
つぎに、公知のカートニングマシーンによって、折り畳まれた蓋付きカートンＡを起こして組み立てて、内容物４を充填し、密封する。
【００１９】
まず、折り畳まれた状態から、図５−ａに示すような起こされた状態とする。つぎに、開放された両側面部Ｓ−１、Ｓ−２の一方を形成するが、例えば、一方の側面部Ｓ−１では、まず、二つの接着片１４、１５を内側に折り曲げ、ついで、側板１１に連設した遊離係合片１６を天板２０の内側に差し込みながら側板１１を内側に折り曲げて、図５−ｂに示すように、接着片１４、１５と接着して固定する。そしてその上に、係止接着片２３を内側に折り曲げ、蓋側板２１を内側に折り曲げて係止接着片２３と接着して固定し、図５−ｃに示すように、一方の側面部Ｓ−１を形成する。
【００２０】
つぎに、この図５−ｃに示した状態で、一方の側面部Ｓ−１側から内容物４を蓋付きカートンＡ内に挿入し、他方の側面部Ｓ−２も一方の側面部Ｓ−１と同様にして形成して、図５−ｄに示すように、蓋付きカートンＡとする。このようにして、本発明の蓋付きカートンＡの組立ておよび内容物４の充填包装を行うことができる。
【００２１】
上記のブランク３から本発明の蓋付きカートンＡを組み立てて、内容物４を充填し、密封する別の方法としては、ブランク３の状態から内容物４を直接充填、包装する方法がある。
【００２２】
まず、図６−ａに示すように、ブランク３のカートン本体１の部分の底板１０上に内容物４を載置し、底板１０に対して直角に、前板１２、後板１５を起こす。そして、図６−ｂに示すように、接着片１４、１４、１５、１５を内側に折り込み、側板１１、１１も直角に起こして、それぞれ側板１１、１１の内側に接着片１４、１４、１５、１５を接着し、遊離係合片１６を内側に折り曲げることにより、図６−ｃに示すように、カートン本体１を形成する。
【００２３】
つぎに、図６−ｄに示すように、蓋体２の部分の天板２０を内容物４の上に被せ、天板２０に対して直角に、蓋前板２２を下方に折り曲げる。そして、図６−ｅに示すように、係止接着片２３、２３を内側に折り込み、蓋側板２１、２１も直角に下方に折り曲げて、それぞれ蓋側板２１、２１の内側に係止接着片２３、２３を接着することにより蓋体２を被せた状態の蓋付きカートンＡを形成する。もちろん、この方法では、最初に内容物４を底板１０上に載置するのではなく、まず、カートン本体１を組み立て、その後に、内容物４を挿入し、そして、蓋体２を組み立てることにより蓋体２を被せた状態の蓋付きカートンＡを形成することもできる。
【００２４】
また、いずれの方法においても、カートン本体１を組み立てる際、側板１１に接着片１４、１５を接着するのではなく、ロック形式で側板１１と接着片１４、１５を係止して組み立てることもできる。
【００２５】
このような蓋付きカートンＡにおいて、蓋体２を、後板１５の上部の折れ線ｊをヒンジとして回動させることにより、カートン本体１の上方開放部を開閉させる。そして、蓋体２は、カートン本体１の上部外側へ嵌合することができる。
【００２６】
また、蓋側板２１、２１の内側に貼り合わされた係止接着片２３、２３の上部には係止間隙２４が形成され、かつ、側板１１、１１に連設された遊離係合片１６、１６を内側へ折り曲げた時に、凸状の係合部１６ａ、１６ａが形成されることを特徴とする蓋付きカートンである。この遊離係合片１６、１６の係合部１６ａ、１６ａを蓋体２の蓋側板２１、２１の内面に接着された係止接着片２３、２３の上縁に係合させてカートン本体１と蓋体２とをロックすることができる。
【００２７】
具体的には、蓋体２をカートン本体１に嵌合させていくと、蓋側板２１の内側に貼り合わされている係止接着片２３、２３がカートン本体１の側板１１、１１に連設した遊離係合片１６、１６の係合部１６ａ、１６ａに接し、これに抗して下降し、係合部１６ａ、１６ａが係止接着片２３、２３の上縁に達すると、遊離係合片１６は、係止間隙２４内にわずかに復元して、係止接着片２３、２３の上縁に係合する。
【００２８】
カートン本体１から蓋体２を開封する場合には、遊離係合片１６と係止接着片２３、２３との係合力に抗して蓋体２を引き上げると、係合部１６ａ、１６ａと係止接着片２３、２３との係合が外れ、蓋体２をカートン本体１から外すことができる。
【産業上の利用可能性】
【００２９】
本発明の蓋付きカートンは、菓子、食品等の内容物を収納する再封可能なカートンとして、幅広く利用することができる。特に、扁平な形状のカートンには、好適に利用することができる。
【図面の簡単な説明】
【００３０】
【図１】本発明の蓋付きカートンの一実施形態を示す斜視図である。
【図２】本発明の蓋付きカートンの一実施形態のブランクを示す展開図である。
【図３】本発明の蓋付きカートンの蓋前板の形状の異なる例を示す斜視図である。
【図４】本発明の蓋付きカートンを折り畳まれた状態に組み立てる工程を示す図である。
【図５】本発明の蓋付きカートンを組み立てて内容物を充填包装する工程を示す図である。
【図６】本発明の蓋付きカートンを組み立てて内容物を充填包装する別の工程を示す図である。
【図７】従来の蓋付きカートンの斜視図である。
【符号の説明】
【００３１】
Ａ    蓋付きカートン
Ｂ    蓋付きカートン（従来の）
１    カートン本体
１０    底板
１１    側板
１２    前板
１３    後板
１４    接着片
１５    接着片
１６    遊離係合片
１６ａ  係合部
２    蓋体
２０    天板
２１    蓋側板
２２    蓋前板
２３    係止接着片
２４    係止間隙
３０    遊離係合片（係合舌片）
ａ〜ｉ    折れ線
ｊ    折れ線（ヒンジ）
ｋ    切り込み
３  ブランク
４    内容物
【図１】
2005263298.tif 000003
【図２】
2005263298.tif 000004
【図３】
2005263298.tif 000005
【図４】
2005263298.tif 000006
【図５】
2005263298.tif 000007
【図６】
2005263298.tif 000008
【図７】
2005263298.tif 000009